(57)【特許請求の範囲】
【請求項１】
空気流を噴出する第１のノズル部を備える第１の内壁部と、前記第１の内壁部に対向し、空気流を噴出する第２のノズル部を備える第２の内壁部と、を備え、前記第１の内壁部および前記第２の内壁部の間へ手を挿抜可能に形成された手挿入部と、
前記手挿入部が形成された筐体と、
前記筐体の内部に収納され、前記空気流を供給するファンと、
前記筐体の内部に形成され、前記ファンからの前記空気流が前記第１のノズル部および前記第２のノズル部へ流動する流路と、
を備え、
前記第１の内壁部を含む部分と前記第２の内壁部を含む部分とに前記筐体を二分する基準面を想定した場合に、前記手挿入部および前記流路は、前記基準面に関して対称に形成され、
前記筐体のうち前記ファンが収納された部分と、前記手挿入部が形成された部分とは、水平方向において並列していることを特徴とするハンドドライヤー。
【請求項２】
空気流を噴出する第１のノズル部を備える第１の内壁部と、前記第１の内壁部に対向し、空気流を噴出する第２のノズル部を備える第２の内壁部と、を備え、前記第１の内壁部および前記第２の内壁部の間へ手を挿抜可能に形成された手挿入部と、
前記手挿入部が形成された筐体と、
前記筐体の内部に収納され、前記空気流を供給するファンと、
前記筐体の内部に形成され、前記ファンからの前記空気流が前記第１のノズル部および前記第２のノズル部へ流動する流路と、
を備え、
前記第１の内壁部を含む部分と前記第２の内壁部を含む部分とに前記筐体を二分する基準面を想定した場合に、前記手挿入部および前記流路は、前記基準面に関して対称に形成され、
前記第１の内壁部同士、前記第２の内壁部同士をそれぞれ連続させて一体とした複数の前記手挿入部を備えることを特徴とするハンドドライヤー。
【請求項３】
複数の前記手挿入部のうちの少なくとも一つの前記第１のノズル部および前記第２のノズル部が、他の前記手挿入部の前記第１のノズル部および前記第２のノズル部とは高さを異ならせて設けられていることを特徴とする請求項２に記載のハンドドライヤー。
【請求項４】
前記第１の内壁部との間に前記流路を構成する第１の外壁部と、
前記第２の内壁部との間に前記流路を構成する第２の外壁部と、
使用者の位置が前記第１の外壁部側および前記第２の外壁部側のいずれであるかを検知する人感センサと、
前記人感センサによる検知結果に応じて、前記流路において前記第１のノズル部へ流動させる前記空気流の量と前記第２のノズル部へ流動させる前記空気流の量との割合を切り替え可能な風量調整部と、
をさらに備えることを特徴とする請求項１から３のいずれか一つに記載のハンドドライヤー。
【請求項５】
前記第１の内壁部との間に前記流路を構成する第１の外壁部と、
前記第２の内壁部との間に前記流路を構成する第２の外壁部と、
使用者の位置が前記第１の外壁部側および前記第２の外壁部側のいずれであるかを検知する人感センサと、
前記人感センサによる検知結果に応じて、前記第１のノズル部から噴出させる前記空気流の向きと前記第２のノズル部から噴出させる前記空気流の向きとを切り替え可能な風向調整部と、
をさらに備えることを特徴とする請求項１から３のいずれか一つに記載のハンドドライヤー。
【請求項６】
手洗い用のシンクと、ハンドドライヤーと、を備え、
前記ハンドドライヤーは、
空気流を噴出する第１のノズル部を備える第１の内壁部と、前記第１の内壁部に対向し、空気流を噴出する第２のノズル部を備える第２の内壁部と、を備え、前記第１の内壁部および前記第２の内壁部の間へ手を挿抜可能に形成された手挿入部と、
前記手挿入部が形成された筐体と、
前記筐体の内部に収納され、前記空気流を供給するファンと、
前記筐体の内部に形成され、前記ファンからの前記空気流が前記第１のノズル部および前記第２のノズル部へ流動する流路と、
を備え、
前記第１の内壁部を含む部分と前記第２の内壁部を含む部分とに前記筐体を二分する基準面を想定した場合に、前記手挿入部および前記流路は、前記基準面に関して対称に形成され、
互いに間隔を設けて並列させた複数の前記シンクを備え、
前記ハンドドライヤーは、複数の前記シンクが並列する方向に対して前記第１の内壁部と前記第２の内壁部とが垂直になるように配置されていることを特徴とする洗面台システム。
【請求項７】
前記ハンドドライヤーは、前記間隔を設けて互いに隣り合う前記シンクの各々に対しての立ち位置の間に、設置されていることを特徴とする請求項６に記載の洗面台システム。
【請求項８】
前記筐体のうち前記ファンが収納された部分と、前記手挿入部が形成された部分とは、水平方向において並列しており、
前記ハンドドライヤーは、前記筐体のうち前記ファンが収納された部分が前記シンクと並列するように配置されていることを特徴とする請求項６に記載の洗面台システム。
【請求項９】
前記シンクは、壁面に取り付けられ、
前記ハンドドライヤーは、前記筐体のうち前記ファンが収納された部分が前記壁面に取り付けられていることを特徴とする請求項８に記載の洗面台システム。
【請求項１０】
前記シンクが取り付けられた洗面カウンターを天面とする洗面台ボックスをさらに備え、
前記ハンドドライヤーは、前記筐体のうち前記ファンが収納された部分が前記洗面台ボックスの内部に配置されていることを特徴とする請求項８に記載の洗面台システム。
【請求項１１】
前記シンクが取り付けられた洗面カウンターを天面とする洗面台ボックスをさらに備え、
前記ハンドドライヤーは、前記洗面台ボックスと一体化され、
前記洗面台ボックスは、前記筐体として機能することを特徴とする請求項６に記載の洗面台システム。
【請求項１２】
手洗い用のシンクと、ハンドドライヤーと、を備え、
前記ハンドドライヤーは、
空気流を噴出する第１のノズル部を備える第１の内壁部と、前記第１の内壁部に対向し、空気流を噴出する第２のノズル部を備える第２の内壁部と、を備え、前記第１の内壁部および前記第２の内壁部の間へ手を挿抜可能に形成された手挿入部と、
前記手挿入部が形成された筐体と、
前記筐体の内部に収納され、前記空気流を供給するファンと、
前記筐体の内部に形成され、前記ファンからの前記空気流が前記第１のノズル部および前記第２のノズル部へ流動する流路と、
を備え、
前記第１の内壁部を含む部分と前記第２の内壁部を含む部分とに前記筐体を二分する基準面を想定した場合に、前記手挿入部および前記流路は、前記基準面に関して対称に形成され、
複数の前記シンクは、壁面に向けて設置され、
前記ハンドドライヤーは、前記第１の内壁部同士、前記第２の内壁部同士をそれぞれ連続させて一体とした複数の前記手挿入部を備え、前記壁面に対して前記第１の内壁部と前記第２の内壁部とが平行であって、かつ前記壁面とは離れた位置に床置きされていることを特徴とする洗面台システム。
【請求項１３】
前記ハンドドライヤーは、複数の前記手挿入部のうちの少なくとも一つの前記第１のノズル部および前記第２のノズル部が、他の前記手挿入部の前記第１のノズル部および前記第２のノズル部とは高さを異ならせて設けられていることを特徴とする請求項１２に記載の洗面台システム。
【請求項１４】
手洗い用のシンクと、ハンドドライヤーと、を備え、
前記ハンドドライヤーは、
空気流を噴出する第１のノズル部を備える第１の内壁部と、前記第１の内壁部に対向し、空気流を噴出する第２のノズル部を備える第２の内壁部と、を備え、前記第１の内壁部および前記第２の内壁部の間へ手を挿抜可能に形成された手挿入部と、
前記手挿入部が形成された筐体と、
前記筐体の内部に収納され、前記空気流を供給するファンと、
前記筐体の内部に形成され、前記ファンからの前記空気流が前記第１のノズル部および前記第２のノズル部へ流動する流路と、
を備え、
前記第１の内壁部を含む部分と前記第２の内壁部を含む部分とに前記筐体を二分する基準面を想定した場合に、前記手挿入部および前記流路は、前記基準面に関して対称に形成され、
一つの前記シンクと一つの前記ハンドドライヤーとが一体化されていることを特徴とする洗面台システム。
【請求項１５】
前記ハンドドライヤーは、
前記第１の内壁部との間に前記流路を構成する第１の外壁部と、
前記第２の内壁部との間に前記流路を構成する第２の外壁部と、
使用者の位置が前記第１の外壁部側および前記第２の外壁部側のいずれであるかを検知する人感センサと、
前記人感センサによる検知結果に応じて、前記流路において前記第１のノズル部へ流動させる前記空気流の量と前記第２のノズル部へ流動させる前記空気流の量との割合を切り替え可能な風量調整部と、
をさらに備えることを特徴とする請求項６から１４のいずれか一つに記載の洗面台システム。
【請求項１６】
前記ハンドドライヤーは、
前記第１の内壁部との間に前記流路を構成する第１の外壁部と、
前記第２の内壁部との間に前記流路を構成する第２の外壁部と、
使用者の位置が前記第１の外壁部側および前記第２の外壁部側のいずれであるかを検知する人感センサと、
前記人感センサによる検知結果に応じて、前記第１のノズル部から噴出させる前記空気流の向きと前記第２のノズル部から噴出させる前記空気流の向きとを切り替え可能な風向調整部と、
をさらに備えることを特徴とする請求項６から１４のいずれか一つに記載の洗面台システム。
【発明の詳細な説明】
【技術分野】
【０００１】
本発明は、ハンドドライヤーおよび洗面台システム、特に、洗面所等に設置されるハンドドライヤーに関する。
【背景技術】
【０００２】
従来、濡れた手を乾燥させるハンドドライヤーとして、洗面カウンターのシンク同士の間に設置されるものが知られている。シンクとハンドドライヤーとをできるだけ近接させることにより、使用者の手洗い後の移動に伴う床への水だれを低減させる。また、洗面カウンター上にハンドドライヤーを設置することで、手から床への水だれの防止とともに、手洗い時と同じ姿勢での手乾燥が可能となる（例えば、特許文献１参照）。
【先行技術文献】
【特許文献】
【０００３】
【特許文献１】特開２００６−２８０６９７号公報
【発明の概要】
【発明が解決しようとする課題】
【０００４】
従来技術によりシンク同士の間にハンドドライヤーを配置するには、シンクは、ハンドドライヤーの横幅と同等あるいはそれ以上の間隔で設けることを要する。限られたスペースでは、シンクを並列させる間隔を広く確保するほど、シンクの数を減らす必要があるという問題がある。一方、狭い間隔でシンクを配置すると、シンクの使用者と、そのシンクに隣接するハンドドライヤーの使用者とが同時に存在する場合に、使用者同士が近接することで精神的圧迫感を与えることになる点が問題となる。
【０００５】
本発明は、上記に鑑みてなされたものであって、手洗いのための限られたスペースの効率的な利用と、使用者へ与える精神的圧迫感の軽減とを可能とするハンドドライヤーおよび洗面台システムを得ることを目的とする。
【課題を解決するための手段】
【０００６】
上述した課題を解決し、目的を達成するために、本発明は、空気流を噴出する第１のノズル部を備える第１の内壁部と、前記第１の内壁部に対向し、空気流を噴出する第２のノズル部を備える第２の内壁部と、を備え、前記第１の内壁部および前記第２の内壁部の間へ手を挿抜可能に形成された手挿入部と、前記手挿入部が形成された筐体と、前記筐体の内部に収納され、前記空気流を供給するファンと、前記筐体の内部に形成され、前記ファンからの前記空気流が前記第１のノズル部および前記第２のノズル部へ流動する流路と、を備え、前記第１の内壁部を含む部分と前記第２の内壁部を含む部分とに前記筐体を二分する基準面を想定した場合に、前記手挿入部および前記流路は、前記基準面に関して対称に形成されていることを特徴とする。
【発明の効果】
【０００７】
本発明によれば、限られた手洗いスペースを効率良く利用して設置可能とし、使用者へ与える精神的圧迫感の軽減を可能とするという効果を奏する。
【図面の簡単な説明】
【０００８】
【図１】図１は、本発明の実施の形態１にかかるハンドドライヤーの斜視図である。
【図２】図２は、図１に示すハンドドライヤーの縦断面における構成を示す図である。
【図３】図３は、図１に示すハンドドライヤーの横断面における構成を示す図である。
【図４】図４は、ハンドドライヤーを含む洗面台システムを示す斜視図である。
【図５】図５は、ハンドドライヤーの動作の手順を説明するフローチャートである。
【図６】図６は、比較例の洗面台システムとその使用者を上から見下ろした状態を示す図である。
【図７】図７は、実施の形態１の洗面台システムとその使用者を上から見下ろした状態を示す図である。
【図８】図８は、本発明の実施の形態２にかかるハンドドライヤーの斜視図である。
【図９】図９は、図８に示すハンドドライヤーの水平断面における構成を示す図である。
【図１０】図１０は、図８に示すハンドドライヤーの横断面における構成を示す図である。
【図１１】図１１は、ハンドドライヤーを含む洗面台システムを示す斜視図である。
【図１２】図１２は、実施の形態２の変形例にかかる洗面台システムの斜視図である。
【図１３】図１３は、本発明の実施の形態３にかかる洗面台システムの斜視図である。
【図１４】図１４は、図１３に示す洗面台システムの上面図である。
【図１５】図１５は、図１３に示す洗面台システムの正面図である。
【図１６】図１６は、図１３に示す洗面台システムの縦断面における構成を示す図である。
【図１７】図１７は、実施の形態３にかかる洗面台システムとその使用者を上から見下ろした状態を示す図である。
【図１８】図１８は、本発明の実施の形態４にかかるハンドドライヤーの斜視図である。
【図１９】図１９は、図１８に示すハンドドライヤーの横断面における構成を示す図である。
【図２０】図２０は、ハンドドライヤーを含む洗面台システムを示す斜視図である。
【図２１】図２１は、図２０に示す洗面台システムが設置されたトイレの全体図である。
【図２２】図２２は、本発明の実施の形態５にかかる洗面台システムの斜視図である。
【図２３】図２３は、図２２に示す洗面台システムの横断面における構成を示す図である。
【図２４】図２４は、洗面台システムの設置例を示す図である。
【図２５】図２５は、図２４に示す洗面台システムが設置されたトイレの全体図である。
【図２６】図２６は、本発明の実施の形態６にかかるハンドドライヤーの斜視図である。
【図２７】図２７は、図２６に示すハンドドライヤーの縦断面における構成を示す図である。
【図２８】図２８は、図２６に示すハンドドライヤーの横断面における構成を示す図である。
【図２９】図２９は、使用者の立ち位置が第２の外壁部側である場合におけるハンドドライヤーの動作を説明する図である。
【図３０】図３０は、使用者の立ち位置が第１の外壁部側である場合におけるハンドドライヤーの動作を説明する図である。
【図３１】図３１は、ハンドドライヤーの動作の手順を説明するフローチャートである。
【発明を実施するための形態】
【０００９】
以下に、本発明にかかるハンドドライヤーおよび洗面台システムの実施の形態を図面に基づいて詳細に説明する。なお、この実施の形態によりこの発明が限定されるものではない。
【００１０】
実施の形態１．
図１は、本発明の実施の形態１にかかるハンドドライヤーの斜視図である。図２は、図１に示すハンドドライヤーの縦断面における構成を示す図である。図３は、図１に示すハンドドライヤーの横断面における構成を示す図である。手挿入部２は、ハンドドライヤー１の筐体１０の上部に形成されている。手挿入部２は、第１の内壁部３と第２の内壁部４とを備え、第１の内壁部３および第２の内壁部４の間へ手を挿抜可能に形成されている。
【００１１】
第１の内壁部３には、第１のノズル部５および第１の手挿入センサ７が設けられている。第２の内壁部４には、第２のノズル部６および第２の手挿入センサ８が設けられている。第１のノズル部５および第２のノズル部６は、手挿入部２内の斜め下方へ向けて高圧空気流を噴出する。第１の手挿入センサ７および第２の手挿入センサ８は、手挿入部２への手の挿入を検知する。
【００１２】
モーター１４およびファン１５は、筐体１０の内部に収納されている。ファン１５は、モーター１４の駆動によって回転し、空気が流入する給気口１７から第１のノズル部５および第２のノズル部６へ向けて空気流を供給する。ファン１５の回転により給気口１７から供給された空気は、筐体１０の内部に形成された流路１６を流動する。流路１６は、第１のノズル部５へ向かう経路と第２のノズル部６へ向かう経路とに分岐する。
【００１３】
給気口１７は、例えば、筐体１０のうち、設置場所の床面に対向する面に設けられている。ハンドドライヤー１を床面に設置した状態において、モーター１４、ファン１５および給気口１７は、手挿入部２に対して鉛直下側に位置する。
【００１４】
筐体１０は、第１の外壁部１１、第２の外壁部１２および二つの側部１３を備える。第１の外壁部１１は、第１の内壁部３との間に流路１６を形成する部分を含み、ハンドドライヤー１の外壁を構成する。第２の外壁部１２は、第２の内壁部４との間に流路１６を形成する部分を含み、ハンドドライヤー１のうち第１の外壁部１１とは反対側の外壁を構成する。側部１３は、手挿入部２が設けられた部分を開放させて形成されている。
【００１５】
図２に示す構成は、二つの側部１３の間の中心における、第１の外壁部１１および第２の外壁部１２に対して略垂直な断面における構成とする。図３に示す構成は、図２に示す基準面ＡＡの、第１の内壁部３側の構成とする。基準面ＡＡは、第１の外壁部１１および第２の外壁部１２の間の中心における、第１の外壁部１１および第２の外壁部１２に対して略平行な面とする。基準面ＡＡは、第１の内壁部３を含む部分と第２の内壁部４を含む部分とに筐体１０を二分する面として想定したものとする。
【００１６】
ハンドドライヤー１は、基準面ＡＡに関して対称に形成されている。ハンドドライヤー１は、第１の外壁部１１側を正面とする場合と、第２の外壁部１２を正面とする場合との、対向する二方向のいずれから手を挿入しても使用可能に構成されている。また、ハンドドライヤー１は、例えば、第１のノズル部５および第２のノズル部６から、略同じ風量の高圧空気流を噴出させる。第１のノズル部５から高圧空気流を噴出させる方向と第２のノズル部６から高圧空気流を噴出させる方向とは、例えば、基準面ＡＡに関して略対称であるものとする。これにより、ハンドドライヤー１は、対向する二方向のいずれから手を挿入しても、使用者へ同様の使用感を与えることができる。
【００１７】
図４は、ハンドドライヤーを含む洗面台システムを示す斜視図である。洗面台システムは、洗面カウンター２０、複数のシンク２１およびハンドドライヤー１を含めて構成されている。複数のシンク２１は、洗面カウンター２０上において、互いに間隔を設けて並列している。
【００１８】
ハンドドライヤー１は、間隔を設けて互いに隣り合うシンク２１の各々に対しての立ち位置の間に、床置きされている。ハンドドライヤー１は、複数のシンク２１が並列する方向に対して第１の内壁部３、第２の内壁部４が垂直となるように、洗面カウンター２０の奥行きに長手方向（図３における左右方向）を合わせて配置されている。
【００１９】
なお、図４には二つのシンク２１を示しているが、洗面台システムに設置されるシンク２１は二つである場合に限られずいくつであっても良い。ハンドドライヤー１は、互いに隣り合うシンク２１からなる各組み合わせのうちの、少なくとも一つに対して設けられていれば良い。
【００２０】
図５は、ハンドドライヤーの動作の手順を説明するフローチャートである。ハンドドライヤー１は、手挿入部２への手の挿入が、第１の手挿入センサ７および第２の手挿入センサ８にて検知されたか否かを判断する（ステップＳ１）。手挿入部２への手の挿入が検知されない場合（ステップＳ１、Ｎｏ）、ハンドドライヤー１は、手の挿入があるまで待機する（ステップＳ３）。
【００２１】
手挿入部２への手の挿入が検知された場合（ステップＳ１、Ｙｅｓ）、ハンドドライヤー１は、タイマー（図示省略）を作動させる（ステップＳ２）とともに、モーター１４の駆動（ステップＳ４）を開始する。ハンドドライヤー１は、第１の手挿入センサ７および第２の手挿入センサ８での手の検知が無くなったか継続しているかにより、手挿入部２から手が引き出されたか否かを判断する（ステップＳ５）。
【００２２】
第１の手挿入センサ７および第２の手挿入センサ８での手の検知が依然として継続している場合、ハンドドライヤー１は、手挿入部２から手が引き出されていない（ステップＳ５、Ｎｏ）ものと判断し、モーター１４の駆動（ステップＳ４）を継続する。
【００２３】
第１の手挿入センサ７および第２の手挿入センサ８での手の検出が無くなった場合、ハンドドライヤー１は、手挿入部２から手が引き出された（ステップＳ５、Ｙｅｓ）ものと判断する。次に、ハンドドライヤー１は、手挿入部２から手が引き出されてから所定時間が経過したか否かを、タイマーを用いた計測により判断する（ステップＳ６）。所定時間は、例えば１．５秒程度とする。ハンドドライヤー１は、所定時間の経過を待つことで、手挿入部２から手が引き出されるような瞬時の動作が手乾燥の最中にあっても、運転を継続することができる。
【００２４】
手挿入部２から手が引き出されてから所定時間が経過していない場合（ステップＳ６、Ｎｏ）、ハンドドライヤー１は、所定時間が経過するまで運転を継続する。手挿入部２から手が引き出されてから所定時間が経過した場合（ステップＳ６、Ｙｅｓ）、ハンドドライヤー１は、モーター１４を停止させ（ステップＳ７）、運転を終了する。
【００２５】
図６および図７は、実施の形態１の効果について説明する図である。図６には比較例の洗面台システムとその使用者を上から見下ろした状態、図７には実施の形態１の洗面台システムとその使用者を上から見下ろした状態を、それぞれ示している。
【００２６】
図６に示す比較例では、洗面カウンター２０を天面とする洗面台ボックスの正面にハンドドライヤー２２が取り付けられている。ハンドドライヤー２２は、シンク２１同士の間において、シンク２１が並列する方向に長手方向を合わせて配置されている。この場合、シンク２１での手洗いを終えた使用者は、シンク２１から離れる縦方向の移動と、ハンドドライヤー２２の正面に立つための横方向の移動とを経て、ハンドドライヤー２２を使用することとなる。
【００２７】
また、限られたスペースにできるだけ多くのシンク２１を配置するために、シンク２１を並列させる間隔を広くすることが困難であることが多い。ハンドドライヤー２２の使用者と、そのハンドドライヤー２２に隣接するシンク２１の使用者とが同時に存在する場合に、使用者同士が近接することによる精神的圧迫感を与える場合が生じる。
【００２８】
これに対して、図７に示す実施の形態１の場合、シンク２１での手洗いを終えた使用者は、立ち位置をほとんど変えずに体の向きを９０度変えることによって、ハンドドライヤー１を使用することが可能である。実施の形態１では、体の向きを変えることでハンドドライヤー１を使用できることで、比較例に対して身体への負担を大幅に軽減することが可能となる。また、シンク２１からハンドドライヤー１への移動が少なくなることで、手洗い後の手から床への水滴の落下を低減することが可能となる。
【００２９】
互いに対向する二方向から使用可能なハンドドライヤー１をシンク２１の立ち位置同士の間に設置することで、ハンドドライヤー１の第１の外壁部１１側にて手洗いを終えた使用者と、第２の外壁部１２側にて手洗いを終えた使用者とのいずれも、体の向きを変えることによってハンドドライヤー１を使用できる。基準面ＡＡに関して対称な構成のハンドドライヤー１の適用によって、双方の使用者のいずれに対しても、ハンドドライヤー１の使用感を同様に与えることができる。
【００３０】
さらに、実施の形態１では、ハンドドライヤー１での手乾燥の際の立ち位置がシンク２１での手洗いの際の立ち位置とほとんど変わりなくなるため、比較例の場合より、ハンドドライヤー１の使用者とシンク２１の使用者との間隔を広く保つことができる。これにより、従来と同等の間隔でシンク２１を並列させる場合であっても、使用者同士の精神的圧迫感の軽減が可能となる。
【００３１】
ハンドドライヤー１は、構成の全てが基準面ＡＡに対して対称である場合に限られず、基準面ＡＡに対して少なくとも手挿入部２および流路１６が対称であれば良い。
【００３２】
実施の形態２．
図８は、本発明の実施の形態２にかかるハンドドライヤーの斜視図である。図９は、図８に示すハンドドライヤーの水平断面における構成を示す図である。図１０は、図８に示すハンドドライヤーの横断面における構成を示す図である。実施の形態１と同一の部分には同一の符号を付し、重複する説明を省略する。
【００３３】
実施の形態２にかかるハンドドライヤー３０は、筐体３５のうちモーター１４およびファン１５が収納された部分が、手挿入部２が形成された部分に対して水平方向の位置にある。筐体３５は、第１の外壁部３１、第２の外壁部３２および二つの側部３３、３４を備える。第１の外壁部３１は、第１の内壁部３との間に流路３６を形成する部分を含み、ハンドドライヤー３０の外壁を構成する。第２の外壁部３２は、第２の内壁部４との間に流路３６を形成する部分を含み、ハンドドライヤー３０のうち第１の外壁部３１とは反対側の外壁を構成する。
【００３４】
二つの側部３３、３４のうち手挿入部２が設けられた側の側部３３は、手挿入部２の部分を開放させて形成されている。ハンドドライヤー３０は、二つの側部３３、３４のうち手挿入部２が設けられた側と反対側の側部３４を壁面に取り付けて設置される。
【００３５】
流路３６は、第１のノズル部５へ向かう経路と第２のノズル部６へ向かう経路とに分岐する。給気口１７は、筐体３５のうち、モーター１４およびファン１５が収納された部分の下方に設けられている。
【００３６】
図９に示す構成は、第１のノズル部５および第２のノズル部６が設けられた位置の水平断面における構成とする。図１０に示す構成は、図９に示す基準面ＢＢの、第１の内壁部３側の構成とする。基準面ＢＢは、第１の外壁部３１および第２の外壁部３２の間の中心における、第１の外壁部３１および第２の外壁部３２に対して略平行な面とする。基準面ＢＢは、第１の内壁部３を含む部分と第２の内壁部４を含む部分とに筐体３５を二分する面として想定したものとする。
【００３７】
ハンドドライヤー３０は、基準面ＢＢに関して対称に形成されている。ハンドドライヤー３０は、第１の外壁部３１側を正面とする場合と、第２の外壁部３２を正面とする場合との、対向する二方向のいずれから手を挿入しても使用可能に構成されている。
【００３８】
図１１は、ハンドドライヤーを含む洗面台システムを示す斜視図である。洗面台システムは、複数のシンク２１およびハンドドライヤー３０を含めて構成されている。複数のシンク２１は、壁面３７において、互いに間隔を設けて並列している。
【００３９】
ハンドドライヤー３０は、壁面３７のうち、間隔を設けて互いに隣り合うシンク２１の間に取り付けられている。ハンドドライヤー３０は、側部３４を壁面３７に接合させて設置されている。ハンドドライヤー３０は、壁面３７に対して第１の内壁部３、第２の内壁部４が垂直となるように配置されている。ハンドドライヤー３０は、筐体３５のうちモーター１４およびファン１５が収納された部分がシンク２１と並列するように配置されている。
【００４０】
なお、図１１には三つのシンク２１を示しているが、洗面台システムに設置されるシンク２１は三つである場合に限られずいくつであっても良い。ハンドドライヤー３０は、互いに隣り合うシンク２１からなる各組み合わせのうちの、少なくとも一つに対して設けられていれば良い。
【００４１】
実施の形態２では、筐体３５のうちモーター１４およびファン１５が占める側を壁面３７に向けて設置することで、手挿入部２を実施の形態１と同様の位置とすることができる。これにより、実施の形態２の場合も、実施の形態１と同様に、手洗いのための限られたスペースの効率的な利用と、使用者へ与える精神的圧迫感の軽減とが可能となる。さらに、床面における設置物が少ないほど清掃が容易となる観点から、ハンドドライヤー３０を壁面３７への設置とすることにより清掃性の向上を図れる。
【００４２】
ハンドドライヤー３０は、構成の全てが基準面ＢＢに対して対称である場合に限られず、基準面ＢＢに対して少なくとも手挿入部２および流路３６が対称であれば良い。
【００４３】
図１２は、実施の形態２の変形例にかかる洗面台システムの斜視図である。この変形例では、洗面カウンター２０を天面とする洗面台ボックス３８にハンドドライヤー３０の一部が収納されている。ハンドドライヤー３０は、洗面台ボックス３８の正面から手前に、筐体３５のうち手挿入部２が形成された部分を突出させている。また、ハンドドライヤー３０は、筐体３５のうちモーター１４およびファン１５が収納された部分が洗面台ボックス３８の内部に配置されている。
【００４４】
この変形例でも、スペースの効率利用、精神的圧迫感の軽減、清掃性の向上が可能となる。さらに、駆動音が発生するモーター１４およびファン１５を洗面台ボックス３８の内部に収めることで、静粛性を高めることができる。
【００４５】
実施の形態３．
図１３は、本発明の実施の形態３にかかる洗面台システムの斜視図である。図１４は、図１３に示す洗面台システムの上面図である。図１５は、図１３に示す洗面台システムの正面図である。図１６は、図１３に示す洗面台システムの縦断面における構成を示す図である。上記の実施の形態と同一の部分には同一の符号を付し、重複する説明を省略する。
【００４６】
実施の形態３にかかる洗面台システム４０は、複数のシンク２１、ハンドドライヤー４１および洗面台ボックス４２を含めて構成されている。複数のシンク２１は、洗面台ボックス４２の天面を構成する洗面カウンター２０上において、互いに間隔を設けて並列している。
【００４７】
ハンドドライヤー４１は、洗面台ボックス４２と一体化されて設けられている。洗面台ボックス４２は、ハンドドライヤー４１の筐体として機能する。洗面台ボックス４２の正面のうちハンドドライヤー４１が設けられている部分は、手前に突出している。洗面台ボックス４２のうち手前に突出させた部分の上部に、手挿入部２が形成されている。洗面台ボックス４２の正面のうちシンク２１に対応する部分には、シンク２１の使用者の立ち位置を確保するための凹部４３が形成されている。
【００４８】
給気口１７は、例えば、洗面台ボックス４２の正面に設けられている。モーター１４、ファン１５、給気口１７および流路４４は、手挿入部２に対して鉛直下側に位置する。
【００４９】
凹部４３のうち手前に突出した部分は、ハンドドライヤー４１のうち手挿入部２が設けられた部分の外壁を構成する。凹部４３のうち第１の内壁部３との間に流路４４を形成する部分は、上記の実施の形態における第１の外壁部として機能する。凹部４３のうち第２の内壁部４との間に流路４４を形成する部分は、上記の実施の形態における第２の外壁部として機能する。
【００５０】
図１６に示す構成は、図１４および図１５に示す基準面ＣＣの、第１の内壁部３側の構成とする。基準面ＣＣは、第１の内壁部３を含む部分と第２の内壁部４を含む部分とに洗面台ボックス４２を二分する面として想定したものとする。
【００５１】
ハンドドライヤー４１は、基準面ＣＣに関して対称に形成されている。ハンドドライヤー４１は、凹部４３のうち第１の外壁部に相当する側を正面とする場合と、第２の外壁部に相当する側を正面とする場合との、対向する二方向のいずれから手を挿入しても使用可能に構成されている。
【００５２】
なお、図１３には三つのシンク２１を示しているが、洗面台システム４０に設置されるシンク２１は三つである場合に限られずいくつであっても良い。ハンドドライヤー４１は、互いに隣り合うシンク２１からなる各組み合わせのうちの、少なくとも一つに対して設けられていれば良い。
【００５３】
図１７は、実施の形態３の効果について説明する図である。図１７には、実施の形態３にかかる洗面台システムとその使用者を上から見下ろした状態を示している。凹部４３のうちシンク２１側にカーブした部分の近傍を立ち位置としてシンク２１での手洗いを終えた使用者は、立ち位置をほとんど変えずに体の向きを９０度変えることによって、ハンドドライヤー４１を使用することが可能である。
【００５４】
実施の形態３では、洗面台ボックス４２のうち手挿入部２が形成された部分を手前に突出させることで、手挿入部２を実施の形態１と同様の位置とすることができる。これにより、実施の形態３の場合も、実施の形態１と同様に、手洗いのための限られたスペースの効率的な利用と、使用者へ与える精神的圧迫感の軽減とが可能となる。ハンドドライヤー４１が洗面台ボックス４２と一体となることで、手洗い後の手から床への水滴の落下を大幅に低減することも可能となる。
【００５５】
また、ハンドドライヤー４１が洗面台ボックス４２と一体となり、複数の機器の混在を無くすことで美観の向上や、床面の設置物や機器間の隙間を少なくできることで清掃性の向上を図れる。さらに、ハンドドライヤー４１を洗面台ボックス４２と一体とすることで、洗面台システムの堅牢性の向上、静粛性の向上も図れる。
【００５６】
ハンドドライヤー４１は、構成の全てが基準面ＣＣに対して対称である場合に限られず、基準面ＣＣに対して少なくとも手挿入部２および流路４４が対称であれば良い。給気口１７は、手挿入部２の下側に限らずいずれの位置に配置しても良い。給気口１７は、洗面台ボックス４２の正面に配置する他、洗面台ボックス４２のうち床面と対向する位置などとしても良い。
【００５７】
実施の形態４．
図１８は、本発明の実施の形態４にかかるハンドドライヤーの斜視図である。図１９は、図１８に示すハンドドライヤーの横断面における構成を示す図である。実施の形態４にかかるハンドドライヤー５０は、第１の内壁部３同士、第２の内壁部４同士をそれぞれ連続させて一体とした複数の手挿入部５１、５２、５３を備える。上記の実施の形態と同一の部分には同一の符号を付し、重複する説明を省略する。
【００５８】
手挿入部５１、５２、５３は、第１の内壁部３同士、第２の内壁部４同士がそれぞれ連続している他は、実施の形態１の手挿入部２と同様に構成されている。筐体５５は、手挿入部５１、５２、５３ごとに上端の高さを異ならせて形成されている。
【００５９】
第１のノズル部５、第２のノズル部６、第１の手挿入センサ７、第２の手挿入センサ８のそれぞれは、手挿入部５１、５２、５３ごとに高さを異ならせて配置されている。モーター１４、ファン１５および流路１６は、各手挿入部５１、５２、５３の鉛直下側にそれぞれ設けられている。いずれの手挿入部５１、５２、５３に対してもモーター１４、ファン１５および流路１６を設けることで、いずれの手挿入部５１、５２、５３においても十分な量の空気流を噴出させることができる。また、第１のノズル部５とファン１５との間の距離は、各手挿入部５１、５２、５３について略同一である。第２のノズル部６とファン１５との間の距離は、各手挿入部５１、５２、５３について略同一である。これにより、いずれの手挿入部５１、５２、５３においても同様の強度で空気流を噴出させ、同様の使用感を得ることができる。
【００６０】
筐体５５は、第１の外壁部５６、第２の外壁部５７および二つの側部５８を備える。第１の外壁部５６は、第１の内壁部３との間に流路１６を形成する部分を含み、ハンドドライヤー５０の外壁を構成する。第２の外壁部５７は、第２の内壁部４との間に流路１６を形成する部分を含み、ハンドドライヤー５０のうち第１の外壁部５６とは反対側の外壁を構成する。側部５８は、手挿入部２が設けられた部分を開放させて形成されている。
【００６１】
図１９に示す構成は、第１の内壁部３を含む部分と第２の内壁部４を含む部分とに筐体５５を二分する面として想定した基準面の、第１の内壁部３側の構成とする。基準面は、第１の外壁部５６および第２の外壁部５７の間の中心における、第１の外壁部５６および第２の外壁部５７に対して略平行な面とする。
【００６２】
ハンドドライヤー５０は、基準面に関して対称に形成されている。ハンドドライヤー５０は、第１の外壁部５６側を正面とする場合と、第２の外壁部５７を正面とする場合との、対向する二方向のいずれから手を挿入しても使用可能に構成されている。
【００６３】
図２０は、ハンドドライヤーを含む洗面台システムを示す斜視図である。図２１は、図２０に示す洗面台システムが設置されたトイレの全体図である。洗面台システムは、複数のシンク２１およびハンドドライヤー５０を含めて構成されている。複数のシンク２１は、壁面を向けて設置されている。
【００６４】
シンク２１は、例えば、トイレの出入り口６０から見て左右の壁面のうち、出入り口６０に近い位置にそれぞれ取り付けられている。便器６２は、左右の壁面のうち、出入り口６０から見てシンク２１より奥に取り付けられている。個室６１は、トイレの出入り口６０に対して一番奥に設けられている。
【００６５】
ハンドドライヤー５０は、シンク２１が取り付けられた左右の壁面同士の中間の位置に、床置きされている。ハンドドライヤー５０は、シンク２１が設置された壁面に対して第１の外壁部５６と第２の外壁部５７、第１の内壁部３と第２の内壁部４が平行になるように配置されている。
【００６６】
互いに対向する二方向から使用可能なハンドドライヤー５０を、シンク２１が取り付けられた左右の壁面同士の中間の位置に設置することで、第１の外壁部５６側にあるシンク２１にて手洗いを終えた使用者と、第２の外壁部５７側にあるシンク２１にて手洗いを終えた使用者とが同様にハンドドライヤー５０を使用できる。これにより、実施の形態４の場合も、上記の実施の形態と同様に、手洗いのための限られたスペースの効率的な利用が可能となる。また、二方向の使用者同士が交互になるような立ち位置でハンドドライヤー５０を使用することで、使用者間の十分な距離を確保でき、精神的圧迫感の軽減が可能となる。
【００６７】
洗面台システムは、複数の手挿入部５１、５２、５３を並列させたハンドドライヤー５０を適用することで、複数の使用者が同時にハンドドライヤー５０で手を乾燥させることができる。実施の形態４にかかる洗面台システムは、多くのシンク２１を設置する大型なトイレに適している。
【００６８】
また、ハンドドライヤー５０は、手挿入部５１、５２、５３ごとに筐体５５上端の高さを異ならせ、第１のノズル部５および第２のノズル部６の高さを異ならせることで、使用者は、自身の背丈に合った手挿入部５１、５２、５３を選択して手を挿入することができる。これにより、いずれの背丈の使用者も、楽な姿勢での手乾燥が可能となる。また、ハンドドライヤー５０は、例えば車椅子用に高さを設定した手挿入部を設けることで、車椅子の使用者も、楽な姿勢での手乾燥が可能となる。
【００６９】
ハンドドライヤー５０は、構成の全てが基準面に対して対称である場合に限られず、基準面に対して少なくとも手挿入部５１、５２、５３および流路１６が対称であれば良い。ハンドドライヤー５０は、全ての手挿入部５１、５２、５３について高さを異ならせる場合に限られず、複数の手挿入部５１、５２、５３のうちの少なくとも一つがその他に対して高さの異なるものとすれば良い。これにより、背丈が異なる使用者に対して楽な姿勢での手乾燥を可能とする効果を得ることができる。
【００７０】
また、ハンドドライヤー５０は、複数の手挿入部について高さを一定としても良い。少なくとも、複数の手挿入部を備えることで、複数の使用者による同時の手乾燥を可能とする効果を得ることができる。ハンドドライヤー５０に設けられる手挿入部５１、５２、５３は三つである場合に限られず、いくつであっても良い。
【００７１】
実施の形態５．
図２２は、本発明の実施の形態５にかかる洗面台システムの斜視図である。図２３は、図２２に示す洗面台システムの横断面における構成を示す図である。実施の形態５にかかる洗面台システム７０は、一つのシンク７２と一つのハンドドライヤー７１とが一体化されている。上記の実施の形態と同一の部分には同一の符号を付し、重複する説明を省略する。
【００７２】
ハンドドライヤー７１およびシンク７２は、共通の筐体７３を持つ。シンク７２は、筐体７３の上面に設けられている。手挿入部２の上部とシンク７２とは、水平方向に並列している。
【００７３】
筐体７３は、第１の外壁部７４、第２の外壁部７５および二つの側部７６、７７を備える。第１の外壁部７４は、第１の内壁部３との間に流路７８を形成する部分を含み、洗面台システム７０の外壁を構成する。第２の外壁部７５は、第２の内壁部４との間に流路７８を形成する部分を含み、洗面台システム７０のうち第１の外壁部７４とは反対側の外壁を構成する。
【００７４】
手挿入部２が設けられた側の側部７６は、手挿入部２の部分を開放させて形成されている。モーター１４、ファン１５および流路７８は、手挿入部２の鉛直下側に設けられている。筐体７３は、洗面台システム７０を床面に設置した場合に、シンク７２の下方が空間となるように形成されている。モーター１４、ファン１５および流路７８は、筐体７３のうち二つの側部７６、７７の間の部分に収納されている。給気口１７は、例えば、側部７７に設けられている。給気口１７の位置は、側部７７である場合に限られず、いずれの位置であっても良いものとする。
【００７５】
図２３に示す構成は、第１の内壁部３を含む部分と第２の内壁部４を含む部分とに筐体７３を二分する面として想定した基準面の、第１の内壁部３側の構成とする。基準面は、第１の外壁部７４および第２の外壁部７５の間の中心における、第１の外壁部７４および第２の外壁部７５に対して略平行な面とする。
【００７６】
洗面台システム７０は、基準面に関して対称に形成されている。ハンドドライヤー７１およびシンク７２のいずれも、第１の外壁部７４側を正面とする場合と、第２の外壁部７５を正面とする場合との、対向する二方向のいずれから手を挿入しても使用可能に構成されている。
【００７７】
図２４は、洗面台システムの設置例を示す図である。図２５は、図２４に示す洗面台システムが設置されたトイレの全体図である。図２５に示すトイレは、入り口８０と出口８１とがそれぞれ設けられている。個室８２は、入り口８０からの通路の左右に設置されている。
【００７８】
洗面台システム７０は、通路のうち個室８２より先の位置に設置されている。ここでは、三つの洗面台システム７０が設置される場合を例とする。三つの洗面台システム７０は、第１の外壁部７４、第２の外壁部７５がいずれも平行になるように向きを揃えて設置されている。洗面台システム７０は、通路における進行方向に対して垂直な方向へ、間隔を設けて並列している。洗面台システム７０同士の間隔は、洗面台システム７０にて立ち止まる使用者や洗面台システム７０の間を通過する使用者等の接触を十分防止可能な程度とされている。
【００７９】
洗面台システム７０へ進行した使用者は、シンク７２での手洗いの際、第１の外壁部７４または第２の外壁部７５に対向するように、進行方向に対して横向きとなる。シンク７２での手洗いを終えた使用者は、手挿入部２の前まで進行方向へ移動する。使用者は、手洗いの際の体の向きを変えずに手挿入部２まで横移動が可能であるため、手から床への水だれを大幅に低減させることができる。手乾燥を終えた使用者は、そのまま進行方向へ進み、洗面台システム７０から離れる。パウダースペース８３は、洗面台システム７０から進行方向へ進む通路の途中に設置されている。使用者は、パウダースペース８３より先の出口８１を通って、トイレの外へ出る。
【００８０】
互いに対向する二方向から使用可能な洗面台システム７０を適用することで、洗面台システム７０の第１の外壁部７４側に立つ使用者と、第２の外壁部７５側に立つ使用者とが同様に、シンク７２およびハンドドライヤー７１を使用できる。実施の形態５の場合も、上記の実施の形態と同様に、手洗いのための限られたスペースの効率的な利用と、使用者へ与える精神的圧迫感の軽減とが可能となる。
【００８１】
実施の形態５にかかる洗面台システム７０をトイレ内の通路に設置することで、トイレ内における動線を明確にすることができる。これにより、個室８２や便器からシンク７２へ、シンク７２からハンドドライヤー７１へと移動する使用者、トイレ内へ出入りする使用者等の混在を抑制し、混雑時においても使用者の快適性の維持が可能となる。洗面台システム７０の適用による動線の確保は、大型施設のトイレ等に適している。
【００８２】
トイレに設置される洗面台システム７０の数は三つである場合に限られず、いくつであっても良い。トイレ内における洗面台システム７０およびその他の要素の設置については、上述の態様である場合に限られず、適宜変更しても良い。
【００８３】
実施の形態６．
図２６は、本発明の実施の形態６にかかるハンドドライヤーの斜視図である。図２７は、図２６に示すハンドドライヤーの縦断面における構成を示す図である。図２８は、図２６に示すハンドドライヤーの横断面における構成を示す図である。実施の形態６にかかるハンドドライヤー９０は、使用者の立ち位置を検知して風向および風量バランスを調整する。ハンドドライヤー９０は、風向および風量バランスを調整するための構成以外については、実施の形態１にかかるハンドドライヤー１と同様の構成を備える。上記の実施の形態と同一の部分には同一の符号を付し、重複する説明を省略する。
【００８４】
第１の内壁部３には、第１のノズル部である第１の上側ノズル部９１および第１の下側ノズル部９２と、第１の手挿入センサ７とが設けられている。第１の上側ノズル部９１および第１の下側ノズル部９２は、互いに向きを異ならせて高圧空気流を噴出するように形成されている。第１の風向調整用可動弁９５は、第１の上側ノズル部９１および第１の下側ノズル部９２の一方を塞ぎ他方を開放することで、高圧空気流を噴出させる方向を調整する風向調整部として機能する。
【００８５】
第２の内壁部４には、第２のノズル部である第２の上側ノズル部９３および第２の下側ノズル部９４と、第２の手挿入センサ８とが設けられている。第２の上側ノズル部９３および第２の下側ノズル部９４は、互いに向きを異ならせて高圧空気流を噴出するように形成されている。第２の風向調整用可動弁９６は、第２の上側ノズル部９３および第２の下側ノズル部９４の一方を塞ぎ他方を開放することで、高圧空気流を噴出させる方向を切り替え可能とする風向調整部として機能する。
【００８６】
第１の人感センサ９７は、第１の外壁部１１に設けられている。第１の人感センサ９７は、第１の外壁部１１側において使用者を検知する。第２の人感センサ９８は、第２の外壁部１２に設けられている。第２の人感センサ９８は、第２の外壁部１２側において使用者を検知する。第１の人感センサ９７および第２の人感センサ９８は、ハンドドライヤー９０の使用者の位置が第１の外壁部１１側および第２の外壁部１２側のいずれであるかを検知する。
【００８７】
風量調整用可動弁９９は、流路１６のうち第１の内壁部３側と第２の内壁部４側への分岐点あるいはその近傍に設けられている。風量調整用可動弁９９は、空気の流れを制限して、第１の上側ノズル部９１および第１の下側ノズル部９２へ流動させる空気流の量と第２の上側ノズル部９３および第２の下側ノズル部９４へ流動させる空気流の量との割合を切り替え可能とする風量調整部として機能する。
【００８８】
図２７に示す構成は、二つの側部１３の間の中心における、第１の外壁部１１および第２の外壁部１２に対して略垂直な断面における構成とする。図２８に示す構成は、図２７に示す基準面ＤＤの、第１の内壁部３側の構成とする。基準面ＤＤは、第１の外壁部１１および第２の外壁部１２の間の中心における、第１の外壁部１１および第２の外壁部１２に対して略平行な面とする。基準面ＤＤは、第１の内壁部３を含む部分と第２の内壁部４を含む部分とに筐体１０を二分する面として想定したものとする。
【００８９】
図２９は、使用者の立ち位置が第２の外壁部側である場合におけるハンドドライヤーの動作を説明する図である。図３０は、使用者の立ち位置が第１の外壁部側である場合におけるハンドドライヤーの動作を説明する図である。第１の風向調整用可動弁９５および第２の風向調整用可動弁９６は、第１の人感センサ９７および第２の人感センサ９８による検知結果に応じて、高圧空気流を噴出させる方向を切り替える。
【００９０】
ハンドドライヤー９０は、例えば、手の甲へ４０％、手のひらへ６０％等と、手の甲に向けて噴出する空気流の量に対して手のひらへ向けて噴出する空気流の量を多くすることで、良好な使用感を与えることが可能となる。また、ハンドドライヤー９０は、手の甲へ噴出する空気流の方向と手のひらへ噴出する空気流の方向とを適宜非対称とすることで、通常の姿勢で良好な使用感を与えることが可能となる。
【００９１】
第１の上側ノズル部９１および第２の上側ノズル部９３は、手の甲に対して好適な向きで空気流を噴出させるように形成されているものとする。第１の下側ノズル部９２および第２の下側ノズル部９４は、手のひらに対して好適な向きで空気流を噴出させるように形成されているものとする。
【００９２】
第２の外壁部１２側に立つ使用者が手挿入部２へ手を挿入した場合、図２９に示すように、手の甲が第１の内壁部３へ向けられ、手のひらが第２の内壁部４へ向けられる。第２の人感センサ９８により第２の外壁部１２側に使用者が存在することを検知した場合、風量調整用可動弁９９は、第２の内壁部４側の流路１６へ流動する空気の量が、第１の内壁部３側の流路１６へ流動する空気の量に対して所定の割合で多くなるような状態をとる。
【００９３】
また、第２の人感センサ９８により第２の外壁部１２側に使用者が存在することを検知した場合、第１の風向調整用可動弁９５は、第１の上側ノズル部９１を開放し第１の下側ノズル部９２を塞ぐ状態をとる。第２の風向調整用可動弁９６は、第２の上側ノズル部９３を塞ぎ第２の下側ノズル部９４を開放する状態をとる。
【００９４】
一方、第１の外壁部１１側に立つ使用者が手挿入部２へ手を挿入した場合、図３０に示すように、手のひらが第１の内壁部３へ向けられ、手の甲が第２の内壁部４へ向けられる。第１の人感センサ９７により第１の外壁部１１側に使用者が存在することを検知した場合、風量調整用可動弁９９は、例えば第１の内壁部３側の流路１６へ流動する空気の量が、第２の内壁部４側の流路１６へ流動する空気の量に対して所定の割合で多くなるような状態をとる。
【００９５】
また、第１の人感センサ９７により第１の外壁部１１側に使用者が存在することを検知した場合、第１の風向調整用可動弁９５は、第１の上側ノズル部９１を塞ぎ第１の下側ノズル部９２を開放する状態をとる。第２の風向調整用可動弁９６は、第２の上側ノズル部９３を開放し第２の下側ノズル部９４を塞ぐ状態をとる。
【００９６】
図３１は、ハンドドライヤーの動作の手順を説明するフローチャートである。ハンドドライヤー９０は、第１の人感センサ９７および第２の人感センサ９８のいずれかにより、人の位置を検出したか否かを判断する（ステップＳ１１）。人の位置が検知されない場合（ステップＳ１１、Ｎｏ）、ハンドドライヤー９０は、第１の人感センサ９７および第２の人感センサ９８のいずれかにより人の位置が検出されるまで待機する（ステップＳ１３）。
【００９７】
第１の人感センサ９７および第２の人感センサ９８のいずれかにより人の位置が検知された場合（ステップＳ１１、Ｙｅｓ）、風量調整用可動弁９９は、検知された人の位置に応じて、手の甲へ噴出する空気流に対して手のひらへ噴出する空気流が所定の割合で多くなるように作動する（ステップＳ１２）。これと同時に、第１の風向調整用可動弁９５および第２の風向調整用可動弁９６は、検知された人の位置に応じて、手の甲および手のひらへ所定の向きで空気流を噴出させるように作動する（ステップＳ１４）。
【００９８】
ハンドドライヤー９０は、手挿入部２への手の挿入が、第１の手挿入センサ７および第２の手挿入センサ８にて検知されたか否かを判断する（ステップＳ１５）。手挿入部２への手の挿入が検知されない場合（ステップＳ１５、Ｎｏ）、ハンドドライヤー１は、手の挿入があるまで待機する（ステップＳ１６）。
【００９９】
手挿入部２への手の挿入が検知された場合（ステップＳ１５、Ｙｅｓ）、ハンドドライヤー９０は、タイマー（図示省略）を作動させる（ステップＳ１７）とともに、モーター１４の駆動（ステップＳ１８）を開始する。ハンドドライヤー９０は、第１の手挿入センサ７および第２の手挿入センサ８での手の検知が無くなったか継続しているかにより、手挿入部２から手が引き出されたか否かを判断する（ステップＳ１９）。
【０１００】
第１の手挿入センサ７および第２の手挿入センサ８での手の検知が依然として継続している場合、ハンドドライヤー９０は、手挿入部２から手が引き出されていない（ステップＳ１９、Ｎｏ）ものと判断し、モーター１４の駆動（ステップＳ１８）を継続する。
【０１０１】
第１の手挿入センサ７および第２の手挿入センサ８での手の検出が無くなった場合、ハンドドライヤー９０は、手挿入部２から手が引き出された（ステップＳ１９、Ｙｅｓ）ものと判断する。次に、ハンドドライヤー９０は、手挿入部２から手が引き出されてから所定時間が経過したか否かを、タイマーを用いた計測により判断する（ステップＳ２０）。所定時間は、例えば１．５秒程度とする。
【０１０２】
手挿入部２から手が引き出されてから所定時間が経過していない場合（ステップＳ２０、Ｎｏ）、ハンドドライヤー９０は、所定時間が経過するまで運転を継続する。手挿入部２から手が引き出されてから所定時間が経過した場合（ステップＳ２０、Ｙｅｓ）、ハンドドライヤー９０は、モーター１４を停止させ（ステップＳ２１）、運転を終了する。
【０１０３】
実施の形態６にかかるハンドドライヤー９０は、使用者の立ち位置を検知して風向および風量バランスを切り替え可能とすることで、第１の外壁部１１側に立つ使用者、第２の外壁部１２側に立つ使用者のいずれに対しても良好な使用感を与えることが可能となる。ハンドドライヤー９０は、空気流の風向および風量の切り替えにより乾燥効率を高めるとともに、使用者には使用開始から短時間にて乾燥感を与えることができる。また、ハンドドライヤー９０は、風向を切り替えることで、使用者に腰を大きく曲げるなどの無理な姿勢をさせること無く、手の甲および手のひらへ十分に空気流を当てることができる。
【０１０４】
なお、風量調整部および風向調整部は、可動弁である場合に限られず、風量、風向を調整可能ないずれの構成を採用しても良い。ハンドドライヤー９０は、風量調整部および風向調整部の両方を備える場合に限られず、少なくとも一方を備えるものであれば良い。風量調整部および風向調整部は、実施の形態１にかかるハンドドライヤー１と同様の構成に適用する他、実施の形態２から５にかかるいずれのハンドドライヤーと同様の構成に適用しても良い。
【符号の説明】
【０１０５】
１、３０、４１、５０、７１、９０  ハンドドライヤー
２、５１、５２、５３  手挿入部
３  第１の内壁部
４  第２の内壁部
５  第１のノズル部
６  第２のノズル部
７  第１の手挿入センサ
８  第２の手挿入センサ
１０、３５、５５、７３  筐体
１１、３１、５６、７４  第１の外壁部
１２、３２、５７、７５  第２の外壁部
１３、３３、３４、５８、７６、７７  側部
１４  モーター
１５  ファン
１６、３６、４４、７８  流路
１７  給気口
２０  洗面カウンター
２１、７２  シンク
３８、４２  洗面台ボックス
４０、７０  洗面台システム
４３  凹部
９１  第１の上側ノズル部
９２  第１の下側ノズル部
９３  第２の上側ノズル部
９４  第２の下側ノズル部
９５  第１の風向調整用可動弁
９６  第２の風向調整用可動弁
９７  第１の人感センサ
９８  第２の人感センサ
９９  風量調整用可動弁
ＡＡ、ＢＢ、ＣＣ、ＤＤ  基準面
【図１】
0005709537.tif 000002
【図２】
0005709537.tif 000003
【図３】
0005709537.tif 000004
【図４】
0005709537.tif 000005
【図５】
0005709537.tif 000006
【図６】
0005709537.tif 000007
【図７】
0005709537.tif 000008
【図８】
0005709537.tif 000009
【図９】
0005709537.tif 000010
【図１０】
0005709537.tif 000011
【図１１】
0005709537.tif 000012
【図１２】
0005709537.tif 000013
【図１３】
0005709537.tif 000014
【図１４】
0005709537.tif 000015
【図１５】
0005709537.tif 000016
【図１６】
0005709537.tif 000017
【図１７】
0005709537.tif 000018
【図１８】
0005709537.tif 000019
【図１９】
0005709537.tif 000020
【図２０】
0005709537.tif 000021
【図２１】
0005709537.tif 000022
【図２２】
0005709537.tif 000023
【図２３】
0005709537.tif 000024
【図２４】
0005709537.tif 000025
【図２５】
0005709537.tif 000026
【図２６】
0005709537.tif 000027
【図２７】
0005709537.tif 000028
【図２８】
0005709537.tif 000029
【図２９】
0005709537.tif 000030
【図３０】
0005709537.tif 000031
【図３１】
0005709537.tif 000032